(57)【要約】【課題】採点パートを複数パートに切り換えることができるとともに、ガイドパートと採点対象パートを連動させることができるカラオケ装置を提供する。【解決手段】歌唱者がガイドモードを選択すると、そのガイドモードとして設定されているガイドパートと採点パートが連動して設定される。ガイドパートと採点パートは基本的に同じパートが割り当てられ、ガイドメロディにしたがって歌唱すると、そのパートの歌唱を採点機能が自動的に採点する。【選択図】　図１
2004109260.tif 000002
【特許請求の範囲】
【請求項１】
複数の歌唱パートを有するカラオケ曲を演奏する演奏手段と、
歌唱音声を入力する歌唱音声入力手段と、
前記複数の歌唱パートに対応する複数のリファレンスデータを記憶した記憶手段と、
前記複数のリファレンスデータのうちいずれか１つを選択する選択手段と、
選択手段によって選択されたリファレンスデータをカラオケ曲の演奏に同期して読み出すリファレンスデータ読出手段と、
前記リファレンスデータ出力手段が読み出したリファレンスデータと前記歌唱音声とを比較することにより、前記歌唱音声を採点する採点手段と、
を備えたカラオケ装置。
【請求項２】
前記複数のリファレンスデータは、前記カラオケ曲の楽曲データに含まれる複数の歌唱パートのガイドメロディデータであり、
前記演奏手段は、前記選択手段によって選択されたガイドメロディデータに基づいてガイドメロディの楽音を発生する請求項１に記載のカラオケ装置。
【請求項３】
前記選択手段は、前記演奏手段が発生するガイドメロディの音量を選択する手段を兼ねる請求項１または請求項２に記載のカラオケ装置。
【発明の詳細な説明】
【０００１】
【発明の属する技術分野】
この発明は、歌唱採点機能を備えたカラオケ装置に関する。
【０００２】
【従来の技術】
従来よりカラオケ装置には、歌唱者の歌唱の巧拙を採点する採点機能を備えたものがあった。この従来より実用化されている採点機能は、基準歌唱（リファレンスデータ）として設定されている１つの楽音データ（ＭＩＤＩデータ）に基づいて歌唱を採点するものであった（たとえば特許文献１参照。）。
【０００３】
【特許文献１】
特開平１０−１６１６７３号公報（第１０−１１頁、図１１、１７）
【０００４】
【発明が解決しようとする課題】
ところで、カラオケ曲には、歌唱パートが１パートのみの曲もあるが、複数の歌唱パートを有する曲もある。しかし、上記従来のカラオケ装置では、リファレンスデータとして１つの楽音データしか設定されていないため、複数の歌唱パートを有する曲であっても、メインメロディパートの採点しかすることができず、他のパート（ハモリパート）を歌唱した場合には採点の対象にならないという欠点があった。
【０００５】
また、カラオケ装置には、曲の伴奏とともにメロディを発音して歌唱をガイドするガイドメロディ機能を備えたものがあるが、従来のカラオケ装置ではメインメロディパートしか採点することができなかったため、ハモリパートをガイドしても、このパートを採点することができず、ガイドメロディに従って歌唱しても採点対象にならないという問題点があった。
【０００６】
この発明は、採点パートを複数パートに切り換えることができるとともに、ガイドパートと採点対象パートを連動させることができるカラオケ装置を提供することを目的とする。
【０００７】
【課題を解決するための手段】
請求項１の発明は、複数の歌唱パートを有するカラオケ曲を演奏する演奏手段と、歌唱音声を入力する歌唱音声入力手段と、前記複数の歌唱パートに対応する複数のリファレンスデータを記憶した記憶手段と、前記複数のリファレンスデータのうちいずれか１つを選択する選択手段と、選択手段によって選択されたリファレンスデータをカラオケ曲の演奏に同期して読み出すリファレンスデータ読出手段と、前記リファレンスデータ出力手段が読み出したリファレンスデータと前記歌唱音声とを比較することにより、前記歌唱音声を採点する採点手段と、を備えたことを特徴とする。
【０００８】
この発明では、複数の歌唱パートに対応する複数のリファレンスデータを記憶手段が記憶しており、選択手段の選択によりこのうち１つのリファレンスデータが読み出される。この読み出されたリファレンスデータと歌唱音声入力手段から入力された歌唱音声とを比較することにより、この歌唱音声が採点される。したがって、歌唱者は自分が歌唱する歌唱パートのリファレンスデータを選択手段で選択することにより、どのパートを歌唱する場合でもカラオケ装置にその歌唱を採点させることができる。
【０００９】
請求項２の発明は、上記発明において、複数のリファレンスデータは、前記カラオケ曲の楽曲データに含まれる複数の歌唱パートのガイドメロディデータであり、前記演奏手段は、前記選択手段によって選択されたガイドメロディデータに基づいてガイドメロディの楽音を発生することを特徴とする。
カラオケ曲の楽曲データには、歌唱をガイドするためのガイドメロディトラックが含まれており、複数の歌唱パートを有するカラオケ曲の楽曲データには、複数の歌唱パートのそれぞれをガイドするガイドメロディトラックが含まれている。この発明では、このガイドメロディトラックを採点用のリファレンスデータとして用いることにより、複数の歌唱パートを有するカラオケ曲であってもガイドメロディデータを用いて任意の歌唱パートの採点が可能になる。
【００１０】
請求項３の発明は、上記発明において、前記選択手段は、前記演奏手段が発生するガイドメロディの音量を選択する手段を兼ねることを特徴とする。
この発明では、選択手段によって選択されたパートのガイドメロディデータは、採点手段に入力されてリファレンスデータとして用いられるとともに、演奏手段に入力されてガイドメロディとして出力される。このように選択手段によって選択されたガイドメロディデータを採点手段と演奏手段の両方に入力することにより、ガイドパートと採点パートを連動させることができ、歌唱者は、選択したガイドメロディに従って歌唱し、同時にその歌唱をカラオケ装置に採点させることができる。
【００１１】
【発明の実施の形態】
図面を参照してこの発明の実施形態であるカラオケ装置について説明する。このカラオケ装置は、楽曲データに基づいてカラオケ曲を演奏する基本機能に加えて、マイクから入力された歌唱者の歌唱音声を採点する採点機能を備えている。楽曲データは、曲を演奏する（伴奏する）ための楽音トラックに加えて歌唱者にメロディをガイドするためのガイドメロディトラックを有し、カラオケ装置は、楽音トラックに基づいてカラオケ曲を演奏するとともに、歌唱者の選択に応じ、ガイドメロディトラックに基づいてガイドメロディを発生する。
【００１２】
カラオケ曲には複数の歌唱パートを有するものがあり、このようなカラオケ曲の楽曲データには、この複数パート分のガイドメロディトラックが設けられている。カラオケ装置は、歌唱者が選択した歌唱パートのガイドメロディトラックのデータ（ガイドメロディデータ）を順次読み出して、このパートのガイドメロディを発生するとともに、このガイドメロディトデータをリファレンスデータとして採点器に入力して歌唱音声と比較することにより、歌唱者の歌唱を採点する。以下、ガイドメロディを発生させるパートをガイドパートと言い、採点対象のパートを採点パートと言う。
【００１３】
このようにこのカラオケ装置は、複数の歌唱パートを有するカラオケ曲のガイドパートの選択と採点パートの選択が連動しており、ガイドパートを選択すればそのパートの歌唱が自動的に採点され、また採点パートを選択すれば、（ガイドをオフする場合を除いて）ガイドパートが自動的に選択される。
【００１４】
図１は、同カラオケ装置のブロック図である。カラオケ装置は、装置全体の動作を制御するＣＰＵ１０と、これに接続された各種機器で構成されている。ＣＰＵ１０には、ハードディスク１１、ＲＡＭ１２、音源１３、ミキサ（エフェクタ）１４、採点器１９、ＭＰＥＧデコーダ２０、合成回路２１、操作部２３が接続されている。ハードディスク１１は、カラオケ曲を演奏するための曲データやモニタに背景映像を表示するための映像データなどを記憶している。ＲＡＭ１２は、プログラムや曲データを読み出すエリアを備えるとともに、ガイドパートや採点パートを記憶するパート選択レジスタ４２が設定される。
【００１５】
音源１３は、ＣＰＵ１０が実行する曲シーケンサ３１の処理によって入力された曲データ（ノートイベントデータ等）に応じて楽音信号を形成する。形成した楽音信号はミキサ１４に入力される。ミキサ１４は、音源１３が発生した複数の楽音信号、および、マイク１７−Ａ／Ｄコンバータ１８を介して入力された歌唱者の歌唱音声信号に対してエコーなどの効果を付与するとともに、これらの信号を適当なバランスでミキシングする。ミキシングされたデジタルの音声信号はサウンドシステム１５に入力される。サウンドシステムはＤ／Ａコンバータおよびパワーアンプを備えており、入力されたデジタル信号をアナログ信号に変換して増幅し、スピーカ１６から放音する。ミキサ１４が各音声信号に付与する効果およびミキシングのバランスはＣＰＵ１０によって制御される。
【００１６】
また、Ａ／Ｄコンバータ１８によってデジタル信号に変換された歌唱音声信号は、採点器１９にも入力される。採点器１９は、この入力された歌唱音声信号の周波数をリファレンスデータと比較してそのずれ量（差分）を割り出し、これをずれデータとしてＣＰＵ１０に入力する。リファレンスデータとしては、楽曲データに含まれるガイドメロディデータが用いられ、複数の歌唱パートのあるカラオケ曲、すなわち複数パートのガイドメロディトラックが含まれる楽曲データの場合には、利用者が選択したパートのガイドメロディデータがリファレンスデータとして用いられる。また、音源１３は、この選択されたガイドメロディデータに基づいてガイドメロディを発生して歌唱者の歌唱をガイドする。
【００１７】
なお、この実施形態では、採点器１９は、歌唱音声信号の音高（周波数）とリファレンスの音高とを比較してそのずれを求めるようにしているが、比較する対象は音高に限定されない。たとえば、音量やリズムなどを比較してもよく、これら複数の要素を比較するようにしてもよい。
【００１８】
ＨＤＤ１１に記憶されている背景映像データ４１は、ＭＰＥＧ２形式にエンコードされており、ＣＰＵ１０が実行する背景映像再生プログラム３３は、これを読み出してＭＰＥＧデコーダ２０に入力する。ＭＰＥＧデコーダ２０は、入力されたＭＰＥＧデータをＮＴＳＣの映像信号に変換して合成回路２１に入力する。合成回路２１は、この背景映像の映像信号の上に歌詞テロップや種々のＯＳＤを合成する回路である。この合成された映像信号はモニタディスプレイ２２に表示される。
【００１９】
操作部２３は、パネルスイッチインタフェースやリモコン受信回路などからなっており、利用者によるパネルスイッチやリモコン装置の操作に応じた操作信号をＣＰＵ１０に入力する。ＣＰＵ１０は、操作入力処理プログラム３５によってこの操作信号を検出し、対応する処理を実行する。この操作入力処理プログラム３５はシステムプログラムに含まれるものである。
【００２０】
この操作部２３（パネルスイッチ、リモコン装置）は、曲番号を選択したり、採点モードなどのモードを選択するための種々のキースイッチを備えている。また、ガイドパートや採点パートを選択するためのパート選択スイッチ２３ａを備えている。
【００２１】
パネルスイッチやリモコン装置で曲番号が入力されると、操作入力処理プログラム３５がこれを検出し、カラオケ曲のリクエストであるとしてシーケンサ３０に伝達する。シーケンサ３０は、これに応じて、この曲番号で識別されるカラオケ曲の曲データをハードディスク１１の曲データ記憶エリア４０から読み出す。シーケンサ３０は、曲シーケンサ３１および歌詞シーケンサ３２からなっており、歌詞シーケンサ３２は、文字パターン作成プログラム３２ａを含んでいる。曲シーケンサ３１は曲データ中の演奏データトラック、ガイドメロディトラックなどのトラックのデータを読み出し、このデータで音源１３を制御することによってカラオケ曲の演奏音を発生させる。また、歌詞シーケンサ３２は、曲データ中の歌詞トラックのデータを読み出し、このデータに基づいて歌詞テロップの画像パターンを作成して合成回路２１に出力する。また、背景映像再生プログラム３３は、シーケンサ３０からの指示に応じて所定の背景映像データを読み出してＭＰＥＧデコーダ２０に入力する。
【００２２】
ここで、図２を参照してハードディスク１１に記憶されている曲データについて説明する。曲データは、同図（Ａ）に示すように、カラオケ曲を演奏するための楽音トラック、ガイドメロディを発生するためのガイドメロディトラック、歌詞テロップを表示するための歌詞トラックなどからなっている。楽音トラックは、多数の楽器の楽音を発生するために複数トラック（パート）で構成されている。
また、複数の歌唱パートを有するカラオケ曲の楽曲データの場合、ガイドメロディトラックは、各歌唱パートに対応して複数設けられている。同図では、ガイドメロディトラックとしてメインメロディトラック、メインメロディより高音のハモリパートである上ハモリパートの上ハモメロディトラック、メインメロディより低音のハモリパートである下ハモリパートの下ハモメロディトラックの３つのトラックが設けられている。曲データは、これ以外にヘッダ、音声データ、音声データ制御トラックなどを有しているが説明を簡略化するためにこの図では省略する。この３つのガイドメロディトラックのデータは、利用者によるガイドモードの選択に応じていずれか１つのトラックが読み出され、音源１３に入力される。
【００２３】
各トラックは、ＭＩＤＩフォーマットに従って記述され、同図（Ｂ）に示すように、イベントデータと各イベントデータの読み出しタイミングを示すタイミングデータからなっている。タイミングデータは、各イベントデータ間の時間的間隔を示すデュレーションデータや曲のスタート時刻からの絶対時間を示す絶対時間データなどで構成することができる。楽音トラック、ガイドメロディトラックのイベントデータは、楽音の音高、音量、オン／オフなどを示すノートイベントデータなどで構成され、このノートイベントデータを音源１３に入力することにより、音源１３はこのイベントデータに対応する楽音を発音したり消音したりする。
【００２４】
また、操作部２３の操作により、採点モードが設定されると、採点器１９および採点モード処理プログラム３４が起動し、歌唱者の歌唱の巧拙を所定時間毎（たとえば１５０ｍｓ毎）に採点する。
【００２５】
ここで、図３、図４を参照して音源１３および採点器１９の機能について説明する。図３において、音源１３には複数チャンネルの楽音トラックのデータが入力されるとともに、１チャンネルのガイドメロディデータが入力される。ガイドメロディ担当チャンネル１３ａは、楽曲ファイルに指定されているチャンネルにアサインされるが、空きチャンネルをダイナミックにアサインするようにしてもよい。上記のように楽曲データにはガイドメロディトラックは、複数（３つ）設けられているが、そのうちパッチベイ３６によって選択されたトラックのデータがガイドメロディ担当チャンネル１３ａに入力される。また、パッチベイ３６は、同様に複数のガイドメロディトラックのうち１つを選択してそのデータを採点器１９に入力する。このデータはリファレンスデータとして用いられる。採点器１９にはＡ／Ｄコンバータ１８でデジタルデータに変換された歌唱音声信号も入力される。
【００２６】
パッチベイ３６が、どのガイドメロディデータを選択して音源１３（ガイドメロディ担当チャンネル１３ａ）に入力するか、および、どのガイドメロディデータを選択して採点器１９に入力するかは、ＣＰＵ１０によって指示される。
ＣＰＵ１０は、歌唱者によるパート選択スイッチの操作により、図５に示すガイドモードを順次・巡回するように選択する。ここで、ガイドモードは、ガイドパートと採点パートの選択パータンであり、モード０はガイドパート＝オフ，採点パート＝メインメロディパート、モード１はガイドパート＝メインメロディパート（音量１＝標準），採点パート＝メインメロディパート、モード２はガイドパート＝メインメロディパート（音量２＝やや大），採点パート＝メインメロディパート、モード３はガイドパート＝メインメロディパート（音量３＝大），採点パート＝メインメロディパート、モード４はガイドパート＝上ハモパート（音量３），採点パート＝上ハモパート、モード５はガイドパート＝下ハモパート（音量３），採点パート＝下ハモパートである。ハモリパートは歌唱が難しいため常に音量は大となっている。
ＣＰＵ１０は、利用者の操作によって設定されたガイドモードに応じてパッチベイ３６にガイドメロディデータの選択を指示するとともに、音源１３に音量設定パラメータを出力する。なお、この実施形態では、パッチベイ３６は曲シーケンサ３１に含まれるソフト的な選択機能である。
【００２７】
図４（Ａ）は音源の１つの発音チャンネルの機能ブロック図である。楽音波形を合成する波形合成部５２には演奏データレジスタ５０およびパラメータレジスタ５１が接続されている。演奏データレジスタ５０は、楽音トラックやガイドメロディトラックのイベントデータが書き込まれるレジスタであり、発音する楽音の音高やベロシティデータなどが含まれる。一方、パラメータレジスタは、音色の設定や音量の設定を指示するパラメータが書き込まれるレジスタであり、上記ガイドモードの設定によって指示されたガイドパートの音量指示パラメータもこのレジスタに書き込まれる。
【００２８】
また、同図（Ｂ）は採点器１９の機能ブロック図である。ガイドメロディトラックのイベントデータ（ノートオンイベントデータ）であるリファレンスデータはレジスタ５３に入力される。次のデータが入力されるまで入力されたデータは保持される。また、Ａ／Ｄコンバータ１８でデジタル化された歌唱音声信号は音高検出部５４に入力される。音高検出部５４は、デジタル歌唱音声信号のゼロクロスに基づいてこの歌唱音声信号の音高を検出する。そして、差分演算部５５が、この検出した音高とレジスタ５３に記憶しているノートオンイベントデータが指示する音高とを比較してその差分を検出し、ずれデータとして出力する。この音高の検出および差分の検出は、５０ｍｓ毎に行われる。
【００２９】
図６は、採点モード時における各プログラムの処理の流れを示す図である。この図では主として採点マークを表示するための処理について説明している。カラオケ曲を演奏するとき、曲シーケンサ３１と歌詞シーケンサ３２は同期して動作する。曲シーケンサ３１は、演奏トラックのイベントデータを読み出して音源１３に入力し、楽音を発生させる。また、選択されたガイドメロディトラックのイベントデータを読み出して音源１３に入力し、ガイドメロディを発生させる。一方、歌詞シーケンサ３２は、歌詞トラックのイベントデータ（歌詞表示データ）を読み出し、これに基づいて歌詞を表示するとともに、ワイプ関数に基づき曲の進行に従って歌詞の文字色を変化させてゆく。
【００３０】
また、曲シーケンサ３１は、選択されたガイドメロディトラックのイベントデータ（音高情報）をリファレンスとして採点器１９に入力する。また、採点器１９には、カラオケ曲の演奏音や歌詞テロップの表示に応じて歌唱する歌唱者の歌唱音声も入力される。採点器１９は、この歌唱音声から検出した音高（セント値）とリファレンスデータの音高情報（セント値）とを比較し、その比較結果（ずれ量のセント値）であるずれデータを５０ｍｓ毎に出力する。このずれデータは採点モード処理プログラム３４に読み取られる。採点モード処理プログラム３４は、複数回（通常は３回＝１５０ｍｓ）のずれデータを集計し、その集計結果に基づきほぼリアルタイムに採点結果を表示する。採点結果は、歌詞テロップ上に円形のマーク（採点マーク）として表示される。この採点マークの色により、採点結果（ずれの大きさ）が表される。
【００３１】
図７を参照して、採点モード時の画面表示の内容について説明する。採点モードのカラオケ演奏時には、モニタ２２に同図（Ａ）に示すような内容が表示される。モニタ２２の画面全体に背景映像５０が表示され、その上に歌詞テロップ５１がスーパーインポーズ合成で表示される点は、通常モードのカラオケ演奏時と同様である。
採点モードでは、さらに歌詞の上に採点マーク５２が表示される。採点マーク５２は、曲の進行に対応して歌詞テロップ上に並べて表示されるボール形のマークである。採点器１９および採点モード処理プログラム３４は、歌唱者の歌唱の巧拙を所定時間毎（たとえば１５０ｍｓ毎）に採点し、その採点結果を採点マークとしてその採点対象となった歌唱に対応する歌詞の上に表示してゆく。
【００３２】
ここで、同図（Ｂ）の採点マーク決定テーブルでは、ずれの大きさに応じて、赤マーク（ずれ大）、橙マーク（ずれ中）、黄マーク（ずれ小）、緑マーク（ずれ無）の色のボール形のマークを表示する。なお、上手く歌唱できているときには歌唱者に注意を喚起しなくてもよいため、ずれ無のときには、緑マークを表示せず何も表示しないようにしてもよい。
【００３３】
また、画面上部には、採点モードである旨を示すＯＳＤである採点モード表示５８、マイク入力レベル５６、ガイドモード５７などが表示される。
【００３４】
ガイドモード５７は、図５に示した６種類のガイドモードを表示するものであり、図７（Ｃ）示すように３つのインジーケタの点灯パターンによって上記モードを表示する。
【００３５】
図８は、パート選択スイッチ２３ａが操作されたときのガイドモードの切り換え処理を示すフローチャートである。パート選択スイッチ２３ａがオンされると、ガイドモードレジスタを参照してそのときのガイドモードを読み出す（ｓ１〜ｓ５）。
そのときのガイドモードがモード０であった場合には（ｓ１）、モード１に設定する。すなわち、ガイドパートをメインメロディ（音量１）に設定し（ｓ１１）、採点パートをメインメロディに設定する（ｓ２１）。
そのときのガイドモードがモード１であった場合には（ｓ２）、モード２に設定する。すなわち、ガイドパートをメインメロディ（音量２）に設定し（ｓ１２）、採点パートをメインメロディに設定する（ｓ２２）。
そのときのガイドモードがモード２であった場合には（ｓ３）、モード３に設定する。すなわち、ガイドパートをメインメロディ（音量３）に設定し（ｓ１３）、採点パートをメインメロディに設定する（ｓ２３）。
そのときのガイドモードがモード３であった場合には（ｓ４）、モード４に設定する。すなわち、ガイドパートを上ハモリパート（音量３）に設定し（ｓ１４）、採点パートを上ハモリパートに設定する（ｓ２４）。
そのときのガイドモードがモード４であった場合には（ｓ５）、モード５に設定する。すなわち、ガイドパートを下ハモリパート（音量３）に設定し（ｓ１５）、採点パートを下ハモリパートに設定する（ｓ２５）。
また、そのときのガイドモードがモード５であった場合には（ｓ５のＮ判定）、モード０に復帰させる。すなわち、ガイドパートをオフに設定し（ｓ１６）、採点パートをメインメロディパートに設定する（ｓ２６）。
上記の設定変更ののち、ガイドモードレジスタ４２に今回設定したモードを書き込んで（ｓ６）動作を終了する。
【００３６】
この実施形態では、採点パートの選択がガイドパートの選択と必ず連動するようになっているが、ガイドパートをオフに固定しておいて、採点パートのみ選択変更できるようにしてもよい。
なお、この実施形態では、採点モード時の動作のみを説明しているが、採点モードでない場合には、ガイドモードの設定において、採点パートをオフにする、すなわち採点器１９にガイドメロディデータを入力しないようにすればよい。また、ガイドモード（ガイドパートと採点パートの組み合わせパターン）において、ガイドパートがオフの場合は、採点モードであっても採点パートをオフにするようにしてもよい。
【００３７】
なお、この実施形態では、パート選択スイッチ２３ａの操作によって、ガイドパートと採点パートが連動して切り換えられているため、ガイドパートが採点パートに追従していると考えることも可能であるし、採点パートがガイドパートに追従していると考えることも可能である。
【００３８】
また、この実施形態では、パッチベイ３６が、音源１３（ガイドメロディ担当チャンネル１３ａ）にアサインするガイドメロディトラックと、採点器１９にアサインするガイドメロディトラックを連動させるようにしているが、パッチベイ３６の機能は、これに限定されず、ＣＰＵ１０の指示により任意のアサインが可能である。
【００３９】
【発明の効果】
以上のようにこの発明によれば、複数の歌唱パートを有するカラオケ曲の場合に、採点手段が採点するパートを選択することができるため、利用者がどのパートを歌唱した場合であっても、その歌唱を採点することができる。
【００４０】
また、この発明によれば、ガイドパートと採点パートを連動させることができるため、ガイドパートを選択し、そのガイドメロディにしたがって歌唱すれば、自動的にそのパートの歌唱を採点することができる。
【００４１】
【図面の簡単な説明】
【図１】この発明の実施形態であるカラオケ装置のブロック図
【図２】同カラオケ装置で用いられる曲データの構成例を示す図
【図３】同カラオケ装置の音源および採点器に入力されるデータを説明する図
【図４】音源および採点器の機能ブロック図
【図５】同カラオケ装置におけるガイドモードを説明する図
【図６】同カラオケ装置の採点動作の流れを説明する図
【図７】同カラオケ装置の採点モード時における画面表示の例を示す図
【図８】同カラオケ装置のガイドモード選択動作を示すフローチャート
【符号の説明】
１０…ＣＰＵ、１１…ハードディスク、１２…ＲＡＭ、１３…音源、１４…ミキサ、１５…サウンドシステム、１６…スピーカ、１７…マイク、１８…Ａ／Ｄコンバータ、１９…採点器、２０…ＭＰＥＧデコーダ、２１…合成回路、２２…モニタ、２３…操作部、２３ａ…モード選択スイッチ、
３０…シーケンサ、３１…曲シーケンサ、３２…歌詞シーケンサ、３２ａ…文字パターン作成プログラム、３３…背景映像再生プログラム、３４…採点モード処理プログラム、３５…操作入力処理プログラム、
４０…曲データ記憶エリア、４１…背景映像記憶エリア、４２…ガイドモードレジスタ、
５０…背景映像、５１…歌詞テロップ、５２…採点マーク、５６…マイク入力レベル表示、５７…ガイドモード表示、５８…採点モード表示、
６０…演奏データレジスタ、６１…パラメータレジスタ、６２…波形合成部、６３…レジスタ、６４…音高検出部、６５…差分演算部
【図１】
2004109260.tif 000003
【図２】
2004109260.tif 000004
【図３】
2004109260.tif 000005
【図４】
2004109260.tif 000006
【図５】
2004109260.tif 000007
【図６】
2004109260.tif 000008
【図７】
2004109260.tif 000009
【図８】
2004109260.tif 000010